(57)【特許請求の範囲】
【請求項１】
吸気口と吹出口を有する本体ケースと、前記吸気口と前記吹出口とを連通する風路に設けた送風部と空気浄化部と、前記本体ケースの上面における前面側である本体前面側上面に設けたスイッチ部と、前記スイッチ部を覆うカバー部とを備え、前記空気浄化部は、前記本体ケースに水平方向に着脱自在に設けられ水を貯水する椀形状のトレーと、前記トレーに水を供給するタンクと、前記トレーに供給された水に下端が浸漬したフィルターと電極とを備え、前記スイッチ部は、中心軸方向が上下方向である複数の孔を備えたスイッチケースと、前記スイッチケース内に設けた基板と、前記孔から突出し前記基板に設けられた複数のスイッチと、前記孔を覆うシートとを備え、前記カバー部は、前記本体ケースの上面に開閉自在に設けられ、前記スイッチの一部上方に入切スイッチ操作部分を有し、前記カバー部は、前記入切スイッチ操作部分を備えた水平面である横長四角平板形状のカバー上面と、前記カバー上面の周縁から下方に延びたカバー側周面とを備え、前記カバー側周面は、水平断面形状がコの字形状であり、前記カバー上面は、前記本体ケースの上面における背面側である本体背面側上面と実質同一面に配置されていることを特徴とする空気浄化装置。
【請求項２】
前記カバー側周面は、前記本体ケースにおける本体前面と本体左側面と本体右側面と実質同一面に配置されていることを特徴とする請求項１に記載の空気浄化装置。
【請求項３】
前記スイッチケースの複数の前記孔を有する孔面は、前記本体ケースの前記本体前面側上面より上方に配置され、前記カバー部の前記カバー側周面の下端は、前記スイッチケースの前記孔面より下方に延びていることを特徴とする請求項１または２に記載の空気浄化装置。
【請求項４】
前記カバー部の前記カバー上面と前記スイッチケースの前記孔面との距離は、前記スイッチケースの前記孔面と前記本体ケースの前記本体前面側上面との距離より短いことを特徴とする請求項３に記載の空気浄化装置。
【請求項５】
前記カバー部は、前記カバー上面から下方に延びた突起部分を備え、前記カバー部の前記カバー側周面と前記本体ケースの前記本体前面側上面とには、前記カバー部を前記本体ケースに引き付ける引付部を備えたことを特徴とする請求項１から４のいずれかに記載の空気浄化装置。
【請求項６】
前記引付部は、前記カバー部の前記カバー側周面に水平方向に設けたリブと、前記本体ケースの本体前面側上面に設けたフック状の突起であることを特徴とする請求項５に記載の空気浄化装置。
【請求項７】
前記カバー部の前記カバー側周面の両端部から内方に延びた補強リブを備えたことを特徴とする請求項１から６のいずれかに記載の空気浄化装置。
【発明の詳細な説明】
【技術分野】
【０００１】
本発明は、細菌やウィルスなどの浮遊微生物を除去する空気浄化装置に関する。
【背景技術】
【０００２】
水道水を電気分解して電解水を生成し、この電解水を用いて空気中に浮遊するウィルス等の除去を行う空気浄化装置が既に提案されている。
【０００３】
この種の空気浄化装置では、病院、介護ホームに設置されることが多いので、電解水を生成する際の設定スイッチが容易に操作できると、誤って高齢者が設定を変える場合があり、使用感の悪いものであった。
【０００４】
そこで、設定スイッチが容易に操作できないように、設定スイッチにスイッチカバーを備えた構成が考えられている（特許文献１）。
【先行技術文献】
【特許文献】
【０００５】
【特許文献１】特開２０１５−８７７４号公報
【発明の概要】
【発明が解決しようとする課題】
【０００６】
このような従来の空気浄化装置においては、設定スイッチと、頻繁に使用する入切スイッチにもカバー部を設けたので、入切スイッチを操作するために、カバー部の開閉が頻繁に必要になり、使い勝手が悪いものとなった。
【０００７】
また、設定スイッチや入切スイッチを覆っているカバー部であることが容易に分かると、カバー部を開けて設定スイッチを操作し、設定が変えられる場合があった。
【０００８】
そこで本発明は、上記従来の課題を解決するものであり、頻繁に使用する入切スイッチは操作し易くし、カバー部がスイッチを覆っていることを分かり難くすることで、設定スイッチを容易に操作できないようにし、使用感を向上した空気浄化装置を提供することを目的とする。
【課題を解決するための手段】
【０００９】
そして、この目的を達成するために、本発明は、箱形状の本体ケースと、前記本体ケースの上面における前面側である本体前面側上面に設けたスイッチ部と、前記スイッチ部を覆うカバー部とを備え、前記スイッチ部は、中心軸方向が上下方向である複数の孔を備えたスイッチケースと、前記スイッチケース内に設けた基板と、前記孔から突出し前記基板に設けられた複数のスイッチと、前記孔を覆うシートとを備え、前記カバー部は、前記本体ケースの上面に開閉自在に設けられ、前記スイッチの一部上方に入切スイッチ操作部分を有し、前記カバー部は、前記スイッチ操作部分を備えた水平面である横長四角平板形状のカバー上面と、前記カバー上面の周縁から下方に延びたカバー側周面とを備え、前記カバー側周面は、水平断面形状がコの字形状であり、前記カバー上面は、前記本体ケースの上面における背面側である本体背面側上面と実質同一面に配置されていることを特徴としたものであり、これにより所期の目的を達成するものである。
【発明の効果】
【００１０】
本発明によれば、カバー部は、本体ケースの上面に開閉自在に設けられ、スイッチの一部上方に入切スイッチ操作部分を有し、カバー部は、スイッチ操作部分を備えた水平面である横長四角平板形状のカバー上面と、カバー上面の周縁から下方に延びたカバー側周面とを備え、カバー上面は、本体ケースの上面における背面側である本体背面側上面と実質同一面に配置されているという構成にしたことにより、頻繁に使用する入切スイッチは操作し易くなり、カバー部はスイッチカバーであることが分かり難くなり、設定スイッチを容易に操作できないので、使用感が向上という効果を得ることができる。
【図面の簡単な説明】
【００１１】
【図１】本発明の実施の形態１の空気浄化装置の斜視図
【図２】同空気浄化装置の断面図
【図３】同空気浄化装置の展開図
【図４】同空気浄化装置の斜視図
【図５】同空気浄化装置の斜視図
【図６】同空気浄化装置のスイッチ部の断面図
【図７】同空気浄化装置のスイッチ部の断面図
【発明を実施するための形態】
【００１２】
以下、本発明の実施形態について図面を参照しながら説明する。
【００１３】
（実施の形態１）
図１は、本発明の実施の形態１の空気浄化装置の斜視図である。図１は、空気浄化装置を背面側から見た斜視図である。
【００１４】
図１に示すように、本実施形態の空気浄化装置においては、略箱形状の本体ケース１により構成され、本体ケース１の背面には、略四角形状の吸気口２を設け、また本体ケース１の上面には、背面側に略四角形状の吹出口３を設けている。
【００１５】
図２は、本発明の実施の形態１の空気浄化装置の断面図である。図２は、空気浄化装置を右側から見た断面図である。図３は、本発明の実施の形態１の空気浄化装置の展開図である。図３は、本体ケースからタンクを外した状態で、空気浄化装置を背面側から見た斜視図である。
【００１６】
図２、図３に示すように、本体ケース１内には、吸気口２と吹出口３とを連通する風路４を備え、この風路４には、吸気口２から順に、空気浄化部５と、送風部６、吹出口３とを備えている。
【００１７】
送風部６は、本体ケース１の上部に設けられ、モータ７とモータ７により回転する羽根車８とそれらを囲むケーシング９とから構成されるいわゆるシロッコファンとして形成されている。
【００１８】
空気浄化部５は、水を貯水するトレイ１０と、トレイに水を供給するタンク１１と、トレイ１０内の水で電解水を生成する電極部材１２と、トレイ内の水に一部が浸漬したフィルター部分１３とを備えている。
【００１９】
トレイ１０は、天面を開口した箱形状をしており、水を貯水できる構造となっており、本体ケース１の下部に配置され、本体ケース１から水平方向にスライドして着脱可能となっている。
【００２０】
タンク１１は、本体ケース１内部の右側側面に、着脱自在に設置され、トレイ１０から着脱可能な構造となっている。
【００２１】
タンク１１はキャップ１４により密閉できる構造となっているが、トレイ１０にタンク１１を設置すると、キャップ１４に設けられた水栓が解放され、水がトレイ１０に供給される構造となっている。水面が水栓まで上昇してくると、水面によりタンク１１が密閉され、水の供給が停止し、常に一定量の水を供給することができる。
【００２２】
電極部材１２は、複数枚の電極板（図示せず）で構成されており、この電極板がトレイ１０内の水に浸かるように設置され、これらの電極部材１２に通電することによりトレイ１０内の塩化物イオンを含む水（本実施例では水道水に塩化ナトリウムを溶解させた水）を電気化学的に電気分解することにより、電解水を生成させる。
【００２３】
フィルター部分１３は、トレイ１０において電極部材１２により生成された電解水と、送風部６によって本体ケース１内に吸込まれた室内空気とを接触させる部材である。円筒状に構成され、円周部分に空気が流通可能な孔を備えたフィルター１５を配置し、その一端がトレイ１０の電解水に浸漬するように、トレイ１０に回転自在に内蔵されている。そして、駆動部（図示しない）による回転され、電解水と室内空気を連続的に接触させる構造となっている。
【００２４】
以上の構成において、空気浄化装置の動作を説明する。
【００２５】
タンク１１により水道水がトレイ１０に供給される。このときユーザーにより、塩化ナトリウムが同時にトレイ１０に投入される。塩化物イオンを含んだ水に対して、電極部材１２により通電され、電気分解して、活性酸素種を含む電解水を生成する。
【００２６】
ここで、活性酸素種とは、通常の酸素よりも高い酸化活性を持つ酸素分子と、その関連物質のことであり、スーパーオキシドアニオン、一重項酸素、ヒドロキシラジカル、或いは過酸化水素といった所謂狭義の活性酸素に、オゾン、次亜塩素酸（次亜ハロゲン酸）等といった所謂広義の活性酸素を含むものである。
【００２７】
電解水は、フィルター部分１３の回転によりフィルター１５全体を浸漬し、送風部６により、吸気口２から本体ケース１内に吸込まれた室内空気と接触することになる。
【００２８】
室内空気とともに本体ケース１内に吸込まれる、空気中の細菌、真菌（カビ）、ウイルス、臭い成分などは、フィルター１５上で、電解水と接触することにより、分解、不活化などがなされ、浄化された空気が、吹出口３から、室内に供給されることになる。
【００２９】
図４は、本発明の実施の形態１の空気浄化装置の斜視図である。図４は、カバー部を開いた状態で、空気浄化装置を前面側から見た斜視図である。図５は、本発明の実施の形態１の空気浄化装置の斜視図である。図５は、カバー部を閉じた状態で、空気浄化装置を前面側から見た斜視図である。図６は、本発明の実施の形態１の空気浄化装置のスイッチ部の断面図である。図６は、カバー部を開いた状態で、空気浄化装置を右側から見た断面図である。
【００３０】
続いて、本体ケース１の上面のスイッチ部１７等について説明する。図４、５、６に示すように、本体ケース１の上面には、上面の前面側である本体前面側上面１６に、スイッチ部１７と、スイッチ部１７を覆うカバー部１８とを備え、上面の背面側である本体背面側上面１９に、吹出口３をそなえている。
【００３１】
スイッチ部１７は、スイッチケース２０と、基板２１と、複数のスイッチ２２と、シート２３とを備えている。
【００３２】
スイッチケース２０は、下面が開口した略箱形状で、上面に中心軸方向が上下方向である複数の四角形の孔２４を備えている。
【００３３】
基板２１は、平板形状でスイッチケース２０内に設けられている。この基板２１の上面には、複数のスイッチ２２を備えている。これらのスイッチ２２が、スイッチケース２０の孔２４から突出する。スイッチ２２は、入切スイッチ２８と運転設定スイッチ３１とを備えている。
【００３４】
シート２３は、材質は樹脂で、スイッチ２２、および孔２４を塞ぐように、スイッチケース２０の上面に貼り付けられる。
【００３５】
カバー部１８は、本体ケース１の上面に、開閉自在に設けられている。カバー部１８は、カバー上面２５と、カバー側周面２６と、入切スイッチ操作部分２７とを備えている。カバー上面２５とカバー側周面２６とは、樹脂成型で一体に形成されている。
【００３６】
カバー上面２５は、本体ケース１における前後方向より左右方向が長い、略横長四角平板形状の水平面で、入切スイッチ操作部分２７を備えている。
【００３７】
カバー側周面２６は、カバー上面２５の周縁から下方に延びている。カバー側周面２６は、本体ケース１における前面側、右側面側、左側面側である３辺から下方に延びている。カバー側周面２６は、水平断面形状が略コの字形状である。
【００３８】
入切スイッチ操作部分２７は、スイッチ２２の一部である入切スイッチ２８の上方に配置されている。
【００３９】
入切スイッチ操作部分２７は、押しボタン２９と、この押しボタン２９を上下方向に移動可能に支持する押しボタン支持部材３０とを備えている。
【００４０】
入切スイッチ操作部分２７の押しボタン２９を押すと、シート２３を介して入切スイッチ操作部分２７の下方の入切スイッチ２８が押され、空気浄化装置への印加を入り切りできる。
【００４１】
図５に示すように、本実施形態における特徴は、カバー上面２５に、入切スイッチ操作部分２７を設け、このカバー上面２５は、本体ケース１の上面における背面側である本体背面側上面１９と実質同一面に配置されている点である。
【００４２】
これにより、カバー部１８によって、普段使用しない運転設定スイッチ３１を隠し、日常で使用する入切スイッチ２８を操作する入切スイッチ操作部分２７のみをカバー上面２５に設けることができ、頻繁に使用する入切スイッチ２８は操作し易くなり、スイッチ操作ミスを防止する。
【００４３】
また、カバー上面２５を本体背面側上面１９と実質同一面に配置することで、カバー部１８が本体ケース１の一部となり、運転設定スイッチ３１を覆っているカバー部１８であることを容易に認識させにくくしている。結果として、カバー部１８を開き、誤って運転設定スイッチ３１を操作し誤設定することを抑制することができ、使用感が向上という効果を得ることができる。
【００４４】
また、カバー側周面２６は、本体ケース１における本体前面と本体左側面と本体右側面と実質同一面に配置されている。
【００４５】
これにより、さらにカバー部１８が本体ケース１の一部となり、運転設定スイッチ３１を覆っているカバー部１８を容易に認識させにくくしている。結果として、カバー部１８を開き、誤って運転設定スイッチ３１を操作し誤設定することを抑制することができ、使用感が向上という効果を得ることができる。
【００４６】
また、図６に示すように、スイッチケース２０の複数の孔２４を有する孔面３３は、本体ケース１の本体前面側上面１６より上方に配置され、カバー部１８のカバー側周面の下端は、スイッチケースの孔面３３より下方に延びている。
【００４７】
これにより、カバー部１８のカバー側周面における上下方向の長さが延びるので、カバー部１８の剛性が向上し、カバー部１８の長手方向の両端が本体前面側上面１６から浮き上がるように反ることを抑制することができ、入切スイッチ操作部分２７と、入切スイッチ２８との距離が広がり難くなり、操作性が向上する。
【００４８】
図７は、本発明の実施の形態１の空気浄化装置のスイッチ部の断面図である。図７は、カバー部を閉じた状態で、空気浄化装置を右側から見た断面図である。
【００４９】
図７に示すように、カバー部１８のカバー上面２５とスイッチケース２０の孔面３３との距離Ａは、スイッチケース２０の孔面３３と本体ケース１の本体前面側上面１６との距離Ｂより短い。
【００５０】
これにより、カバー上面２５にある入切スイッチ操作部分２７から入切スイッチ２８までの距離を長くすることなく、カバー部１８のカバー側周面における上下方向の長さを延ばす事ができるので、カバー部１８の長手方向の両端が本体前面側上面１６から浮き上がるように反ることを抑制することができる。また、カバー部１８は、上面部分から下方に延びた突起部分３５の長さが短くなり、カバー部１８を開いたときに運転設定スイッチ３１の操作時に邪魔にならない。
【００５１】
また、図４に示すように、カバー部１８は、カバー上面２５の下面部分から下方に延びた突起部分３５を備え、カバー部１８のカバー側周面と本体ケース１の本体前面側上面とには、カバー部１８を本体ケース１に引き付ける引付部３６を備えた。具体的には、引付部３６は、カバー部１８のカバー側周面２６に水平方向に設けたリブ３７と、本体ケース１の本体前面側上面１６に設けたフック状の突起３８である。
【００５２】
これにより、カバー部１８に、カバー部１８の長手方向の両端が本体前面側上面１６から浮き上がるような反りが発生していた場合にも、引付部によって、反りが低減するように、引っ張られるので、カバー部１８の長手方向の両端が本体前面側上面１６から浮き上がるように反ることを抑制することができ、入切スイッチ操作部分２７と、入切スイッチ２８との距離が、更に広がり難くなり、操作性が向上する。また、カバー部１８を開けようとすると、少し引っ掛かるので、開閉できるカバー部１８であることを容易に認識し難い。
【００５３】
また、図４、６に示すように、カバー部１８のカバー側周面２６の両端部から内方に延びた補強リブ３９を備えた。補強リブ３９は、本体ケース１における背面側である辺の一部から下方に延びている。
【００５４】
これにより、カバー部１８の側周面部分がＣ字形状となり、更にカバー部１８の剛性が向上し、カバー部１８の長手方向の両端が本体前面側上面１６から浮き上がるように反ることを抑制することができる。結果として、入切スイッチ操作部分２７と、入切スイッチ２８との距離が、更に広がり難くなり、操作性が向上する。
【産業上の利用可能性】
【００５５】
本発明にかかる空気の空気浄化装置は、高齢者が多い病院、介護ホームでの使用に有用である。
【符号の説明】
【００５６】
１    本体ケース
２    吸気口
３    吹出口
４    風路
５    空気浄化部
６    送風部
７    モータ
８    羽根車
９    ケーシング
１０    トレイ
１１    タンク
１２    電極部材
１３    フィルター部分
１４    キャップ
１５    フィルター
１６    本体前面側上面
１７    スイッチ部
１８    カバー部
１９    本体背面側上面
２０    スイッチケース
２１    基板
２２    スイッチ
２３    シート
２４    孔
２５    カバー上面
２６    カバー側周面
２７    入切スイッチ操作部分
２８    入切スイッチ
２９    押しボタン
３０    押しボタン支持部材
３１    運転設定スイッチ
３３    孔面
３５    突起部分
３６    引付部
３７    リブ
３８    突起
３９    補強リブ
【図１】
0006554661.tif 000002
【図２】
0006554661.tif 000003
【図３】
0006554661.tif 000004
【図４】
0006554661.tif 000005
【図５】
0006554661.tif 000006
【図６】
0006554661.tif 000007
【図７】
0006554661.tif 000008